(57)【要約】【課題】より詳細なトイレの使用状態を知らせることができるトイレシステムを提供する。【解決手段】トイレシステムは、トイレ個室１０内の状況を検知する検知部（ドアロックセンサ２１、着座センサ２２、回転センサ２３、便器洗浄スイッチ２４等）と、検知部の検知結果に基づいて、トイレ個室１０が空きの状態、又は使用中の状態であることを判定するとともに、使用中の状態においてトイレ個室１０が使用開始直後の状態であること、又はトイレ個室１０が使用終了直前の状態であることの少なくとも一方の判定を行い、これら判定した結果を含む信号を出力する制御部３０と、を備える。【選択図】図１
2018161342.tif 000002
【特許請求の範囲】
【請求項１】
トイレ個室内の状況を検知する検知部と、
前記検知部の検知結果に基づいて、前記トイレ個室が空きの状態、又は使用中の状態であることを判定するとともに、前記使用中の状態において前記トイレ個室が使用開始直後の状態であること、又は前記トイレ個室が使用終了直前の状態であることの少なくとも一方の判定を行い、これら判定した結果を含む信号を出力する制御部と、
を備えることを特徴とするトイレシステム。
【請求項２】
前記制御部は、前記検知部の検知結果の変化に基づいて、前記トイレ個室が使用開始直後の状態から使用中の状態に変化したとの判定、又は前記トイレ個室が使用中の状態から使用終了直前の状態に変化したとの判定の少なくとも一方を行うことを特徴とする請求項１記載のトイレシステム。
【請求項３】
前記制御部は、前記トイレ個室が使用終了直前の状態であるという判定を行う場合には、所定の複数の条件を満たした場合においてのみ、前記トイレ個室が使用終了直前の状態であるという判定を行うことを特徴とする請求項１又は２記載のトイレシステム。
【請求項４】
前記制御部は、前記トイレ個室が使用終了直前の状態であると判定した後に前記検知部が所定の状況を検知すると、使用中の状態に変化したと判定することを特徴とする請求項１乃至３のいずれか一項に記載のトイレシステム。
【発明の詳細な説明】
【技術分野】
【０００１】
本発明は、トイレシステムに関するものである。
【背景技術】
【０００２】
特許文献１は従来のトイレシステムを開示している。このトイレシステムは、検知部としてのカメラ又は超音波センサと、制御部とを備えている。トイレシステムは、カメラ又は超音波センサによりトイレの状況を検知し、これに基づいて、制御部によりトイレの使用状態の判定を行って判定結果が出力される。制御部から出力された判定結果は表示器に表示される。
【先行技術文献】
【特許文献】
【０００３】
【特許文献１】特許第５６３１６４８号公報
【発明の概要】
【発明が解決しようとする課題】
【０００４】
特許文献１のシステムでは、トイレの使用状態として、「使用している」、「使用していない」、の２種類の状態の判定を行ってそれを表示する。しかし、使用中のトイレであっても、使用開始されたばかりで空くまでに時間がかかるのか、まもなく使用終了されてすぐに空くのかは外部からは不明である。このため、より詳細な使用状態が分かるトイレシステムが望まれていた。
【０００５】
本発明は、上記従来の実情に鑑みてなされたものであって、より詳細なトイレの使用状態を知らせることができるトイレシステムを提供することを解決すべき課題としている。
【課題を解決するための手段】
【０００６】
本発明のトイレシステムは、
トイレ個室内の状況を検知する検知部と、
前記検知部の検知結果に基づいて、前記トイレ個室が空きの状態、及び使用中の状態であることを判定するとともに、前記使用中の状態において前記トイレ個室が使用開始直後の状態であること、又は前記トイレ個室が使用終了直前の状態であることの少なくとも一方の判定を行い、これら判定した結果を含む信号を出力する制御部と、
を備えることを特徴とする。
【０００７】
このトイレシステムは、トイレ個室内の状況を検知して、空きの状態、使用中の状態の２種類の状態の他の状態として、使用開始直後の状態、又は使用終了直前の状態であることの少なくとも一方を判定し、その判定結果を含む信号を出力する。このように、本発明のトイレシステムは、トイレ個室が間もなく空くか否かを外部に知らせることができる。
【０００８】
したがって、本発明のトイレシステムは、より詳細なトイレの使用状態を知らせることができる。
【０００９】
なお、上記「判定結果を含む信号を出力する」とは、表示板やスマートフォン、ディスプレイ等の表示器や、スピーカー等の音声出力装置など、判定結果を報知する報知手段に報知させるための信号（情報信号）を出力することを意図している。
【図面の簡単な説明】
【００１０】
【図１】実施例に係るトイレシステムを模式的に示す図である。
【図２】実施例１に係るトイレシステムの処理の流れを示すフローチャートである。
【図３】実施例１に係るトイレシステムの検知信号と報知内容の関係を示すタイムチャートである。
【図４】実施例２に係るトイレシステムの処理の流れを示すフローチャートである。
【図５】実施例２に係るトイレシステムの検知信号と報知内容の関係を示すタイムチャート（その１）である。
【図６】実施例２に係るトイレシステムの検知信号と報知内容の関係を示すタイムチャート（その２）である。
【図７】実施例３に係るトイレシステムの処理の流れを示すフローチャートである。
【図８】実施例３に係るトイレシステムの検知信号と報知内容の関係を示すタイムチャートである。
【図９】実施例４に係るトイレシステムの処理の流れを示すフローチャートである。
【図１０】実施例４に係るトイレシステムの検知信号と報知内容の関係を示すタイムチャートである。
【図１１】実施例５に係るトイレシステムの処理の流れを示すフローチャートである。
【図１２】実施例５に係るトイレシステムの検知信号と報知内容の関係を示すタイムチャートである。
【図１３】実施例６に係るトイレシステムの処理の流れを示すフローチャートである。
【図１４】実施例６に係るトイレシステムの検知信号と報知内容の関係を示すタイムチャートである。
【図１５】実施例７に係るトイレシステムの処理の流れを示すフローチャートである。
【図１６】実施例７に係るトイレシステムの検知信号と報知内容の関係を示すタイムチャート（その１）である。
【図１７】実施例７に係るトイレシステムの検知信号と報知内容の関係を示すタイムチャート（その２）である。
【発明を実施するための形態】
【００１１】
本発明における好ましい実施の形態を説明する。
【００１２】
本発明のトイレシステムにおいて、前記制御部は、前記検知部の検知結果の変化に基づいて、前記トイレ個室が使用開始直後の状態から使用中の状態に変化したとの判定、又は前記トイレ個室が使用中の状態から使用終了直前の状態に変化したとの判定の少なくとも一方を行い得る。この場合、トイレ個室が間もなく空くか否かという情報をより正確に外部に知らせることができる。
【００１３】
本発明のトイレシステムにおいて、前記制御部は、前記トイレ個室が使用終了直前の状態であるという判定を行う場合には、所定の複数の条件を満たした場合においてのみ、前記トイレ個室が使用終了直前の状態であるという判定を行い得る。この場合、例えば、トイレ個室が使用され始めてから１０秒間は使用終了直前の状態であるという判定を行わない、等の通常ではあり得ない判定がなされるのを予め排除する複数の条件を設定することにより、誤判定の防止を図ることができる。その結果、トイレ個室が間もなく空くか否かという情報をより正確に外部に知らせることができる。
【００１４】
本発明のトイレシステムにおいて、前記制御部は、前記トイレ個室が使用終了直前の状態であると判定した後に前記検知部が所定の状況を検知すると、使用中の状態に変化したと判定し得る。この場合、使用終了直前の状態であることを報知した後においてもトイレ個室内の状況を監視し、その状況に応じて報知内容を使用中に戻すことができる。このため、トイレ個室が間もなく空くか否かという情報をより正確に外部に知らせることができる。
【００１５】
次に、本発明の便座装置を具体化した実施例１〜７について、図面を参照しつつ説明する。実施例１〜７のトイレシステムは、図１に示すトイレ設備１に備えられている。トイレ設備１は、出入り口のドア２と、このドア２の内側の共用スペース３と、共用スペース３内に配置された洗面台４と、共用スペース３とは仕切られて設けられた複数（図１中３つ）のトイレ個室１０と、を備えている。
【００１６】
各トイレ個室１０には、ドア１１、便器装置１２、ペーパーホルダー１３、及びリモコン１４が夫々設けられている。ドア１１は各トイレ個室１０への出入りのためのドアである。便器装置１２は温水洗浄機能を有する便座装置付きの便器装置である。ペーパーホルダー１３はロールペーパーを回転自在に保持する。リモコン１４は、便座、便蓋の開閉や、局部洗浄、便器洗浄等、便器装置１２の操作を行うための各種スイッチが設けられている。
【００１７】
また、各トイレ個室１０には、トイレ個室１０内の状況を検知する検知部としてのドアロックセンサ２１、着座センサ２２、回転センサ２３及び便器洗浄スイッチ２４が設けられている。ドアロックセンサ２１はドア１１が施錠されているか否かを検知する。着座センサ２２は、便器装置１２の便座に使用者が着座しているか否かを検知する。回転センサ２３はロールペーパーが回転しているか否かを検知する。便器洗浄スイッチ２４は便器洗浄を行うためのスイッチであり、リモコン１４に設けられている。これらドアロックセンサ２１、着座センサ２２、回転センサ２３、及び便器洗浄スイッチ２４は制御部３０に接続されており、制御部３０により制御される。また、ドアロックセンサ２１、着座センサ２２、回転センサ２３、及び便器洗浄スイッチ２４による検知結果は制御部３０に送信される。制御部３０は、これらの検知結果に基づいてトイレ個室１０の使用状態の判定を行う。制御部３０による判定結果は報知部４０により報知される。報知部４０は、制御部３０の判定結果を文字や図形で表示する表示器である。報知部４０はトイレ設備１の外壁に配置されている。報知部４０は、トイレ個室１０毎の使用状態に関する情報を報知する。
【００１８】
トイレ個室１０の使用者は、排便を目的とした通常の使用では、排便に付帯する動作として、施錠、脱衣、着座、局部洗浄、ロールペーパー巻き取り、局部拭き取り、脱座、便器洗浄、着衣、開錠等の動作を行うことが想定される。これらの動作のうち、施錠及び開錠は、トイレ個室１０の使用開始時（入室時）及び使用終了時（退室時）に夫々行われる動作である。このため、実施例１〜７のトイレシステムでは、ドアロックセンサ２１による施錠と開錠の検知によって、トイレ個室１０が使用されていない状態である「空き」の状態、及びトイレ個室１０が使用されている状態である「使用中」の状態を判定する。
【００１９】
また、上述の動作のうちのいくつかは、使用者に応じて、排便に前後して順不同で行われる。一方、例えば、施錠、脱衣、着座等は排便前の動作であり、局部洗浄、局部拭き取り、便器洗浄、脱座、着衣、開錠等は排便後の動作である。そして、排便前の動作はトイレ個室に入室後の比較的早い段階で他の動作に先んじて行われる動作であり、排便後の動作はトイレ個室に入室してから退室前の比較的遅い段階で行われる動作である。実施例１〜７では、これら排便前及び排便後の各動作の１つ又は２つ以上に夫々着目する。そして、これらの動作をトイレ個室内の状況として直接的又は間接的に検知することにより、トイレ個室が使用中の状態において、間もなく退室する状態である使用終了直前の状態、又は入室して間もない状態である使用開始直後の状態を判定する。
【００２０】
＜実施例１＞
実施例１のトイレシステムは、検知部としてのドアロックセンサ２１及び着座センサ２２と、制御部３０とを備えて構成されている。このトイレシステムは、ドアロックセンサ２１による施錠の有無、及び着座センサ２２による着座の有無の検知によってトイレ個室１０内の状況を検知する。制御部３０は、これらの検知結果に基づいて、トイレ個室１０の使用状態を判定する。また、制御部３０は、この判定結果を含む信号を出力する。本実施例の場合、出力された信号は報知部４０に送信される。報知部４０は、出力された信号を受信することにより、制御部３０による判定結果を報知する。
【００２１】
上記構成のトイレシステムの制御処理について、図２のフローチャート及び図３のタイミングチャートを用いて説明する。最初に、図２に示すように、ステップＳ１０１において、ドア１１が施錠されているか否かを判断する。ドア１１が施錠されたか否かの判断はドアロックセンサ２１によりなされる。
【００２２】
ステップＳ１０１において、ドア１１を施錠した（ドアロックセンサ２１がオン）と判断された場合には、制御部３０は、トイレ個室１０が使用中の状態であると判定し（ステップＳ１０２）、報知部４０はその旨を報知する（ステップＳ１０３）。すなわち、図３に示すように、ドアロックセンサ２１がオフからオンに切り替わることにより、報知部４０の報知内容が、「空き」から「使用中」に切り替えられる。
【００２３】
なお、トイレ個室１０が空きの状態であることは、ドア１１が施錠されていないことが検知された状態にあること、すなわち、ドアロックセンサ２１がオフ状態にあることにより判定している。この「空き」の状態は、トイレ個室１０に使用者のいない状態である。一方、トイレ個室１０が使用中の状態であることは、ドア１１が施錠されていることが検知された状態にあること、すなわち、ドアロックセンサ２１がオン状態にあることにより判定している。この「使用中」の状態は、トイレ個室１０に使用者が入室している状態である。
【００２４】
次に、ステップＳ１０４では、トイレ個室１０の使用者が便器装置１２の便座に着座したか否かを判断する。着座したか否かの判断は、着座センサ２２によりなされる。すなわち、着座センサ２２がオンである場合には着座していると判断し、オフである場合には、着座していないと判断する。着座センサ２２がオンであることにより着座したと判断された場合には、ステップＳ１０５に進む。ステップＳ１０５では、トイレ個室１０の使用者が便器装置１２から脱座したか否か、すなわち、オン状態の着座センサ２２がオフになったか否かを判断する。実施例１のトイレシステムでは、制御部３０は、脱座したと判断した場合にトイレ個室１０が使用終了直前の状態であると判定する。すなわち、実施例１における「使用終了直前」の判定は、脱座したとの判断によってなされる。
【００２５】
ステップＳ１０５にて脱座した（着座センサ２２がオフ）と判断された場合には、制御部３０は、トイレ個室１０が使用終了直前の状態であると判定する（ステップＳ１０６）。判定結果は報知部４０に出力される。そして、報知部４０は、制御部３０の判定結果として、「使用終了直前」である旨を報知する（ステップＳ１０７）。すなわち、図３に示すように、着座センサ２２がオンからオフに切り替わることにより、報知部４０の報知内容が、「使用中」から「使用終了直前」に切り替えられる。このように、制御部３０は、検知部としての着座センサ２２のオンの状態からオフの状態への検知結果の変化に基づいて、トイレ個室１０が使用中の状態から使用終了直前の状態に変化したと判定する。
【００２６】
そして、ステップＳ１０８では、ドア１１を開錠したか否かを判断する。開錠した（ドアロックセンサ２１がオフ）と判断された場合には、制御部３０は、トイレ個室１０が空きの状態であると判定し（ステップＳ１０９）、報知部４０はその旨を報知する（ステップＳ１１０）。すなわち、図３に示すように、ドアロックセンサ２１がオンからオフに切り替わることにより、報知部４０の報知内容が、「使用終了直前」から「空き」に切り替えられる。
【００２７】
一方、ドア１１を開錠していない（ドアロックセンサ２１がオン）と判断された場合には、ステップＳ１１１に進み、トイレ個室１０の使用者が便器装置１２の便座に再び着座したか否かを判断する。これは、トイレ個室１０の使用者が開錠前に再度便意を催すなどして再び着座してしまう場合を想定している。この場合、トイレ個室１０が間もなく空く状態でなくなったとして、報知内容の「使用終了直前」を再び「使用中」に戻す。具体的には、ステップＳ１１１にて着座した（着座センサ２２がオン）と再度判断された場合には、制御部３０は、ステップＳ１１２にて使用中の状態であると判定する。この場合、報知部４０はステップＳ１１３にて「使用中」を再度報知し、ステップＳ１０５に戻る。このように、実施例１のトイレシステムでは、トイレ個室１０が使用終了直前の状態であると判定した後に、検知部としての着座センサ２２が所定の状況としての着座を検知した場合には、制御部３０は、トイレ個室１０が使用終了直前の状態から使用中の状態に変化したとの判定を行う。
【００２８】
なお、ステップＳ１０４における着座の検知がなされることなく開錠された場合には、使用終了直前の状態であることの判定は行われず、開錠の動作の検知によって「使用中」の報知から「空き」の報知に直接切り替えられる。すなわち、実施例１のトイレシステムは、所定の複数の条件としての施錠及び施錠後の着座が検知された場合においてのみ、以降の処理においてトイレ個室１０が使用終了直前の状態であるという判定を行う。
【００２９】
以上より、実施例１のトイレシステムは、トイレ個室１０内の状況としての施錠の有無及び着座の有無を夫々検知する検知部としてのドアロックセンサ２１及び着座センサ２２と、ドアロックセンサ２１及び着座センサ２２の検知結果に基づいて、トイレ個室１０が空きの状態、及び使用中の状態であることを判定するとともに、使用中の状態においてトイレ個室１０が使用終了直前の状態であることの判定を行い、これら判定した結果を含む信号を出力する制御部３０と、を備えている。
【００３０】
実施例１のトイレシステムは、トイレ個室１０内の状況を検知するにあたり、ドアロックセンサ２１による施錠の有無及び着座センサ２２による着座の有無を検知して、空きの状態、使用中の状態の２種類の状態の他の状態として、使用終了直前の状態であることを判定し、この判定結果を含む信号を出力する。このように、実施例１のトイレシステムは、トイレ個室が間もなく空くか否かを外部に知らせることができる。
【００３１】
したがって、トイレシステムは、より詳細なトイレの使用状態を知らせることができる。
【００３２】
また、制御部３０は、検知部としての着座センサ２２の検知結果の変化に基づいて、トイレ個室１０が使用中の状態から使用終了直前の状態に変化したとの判定を行う。このため、トイレ個室が間もなく空くか否かという情報をより正確に外部に知らせることができる。
【００３３】
また、制御部３０は、トイレ個室１０が使用終了直前の状態であるという判定を行う場合には、所定の複数の条件としての施錠及び施錠後の着座を検知した場合においてのみ、トイレ個室１０が使用終了直前の状態であるという判定を行う。これにより、誤判定の防止を図ることができる。その結果、トイレ個室が間もなく空くか否かという情報をより正確に外部に知らせることができる。
【００３４】
また、制御部３０は、トイレ個室１０が使用終了直前の状態であると判定した後に、検知部としての着座センサ２２が、所定の状況としての着座を検知すると、使用中の状態に変化したと判定する。これにより、使用終了直前の状態であることを報知した後においてもトイレ個室内の状況を監視し、その状況に応じて報知内容を使用中に戻すことができる。このため、トイレ個室が間もなく空くか否かという情報をより正確に外部に知らせることができる。
【００３５】
＜実施例２＞
次に、実施例２に係るトイレシステムについて説明する。なお、実施例２において、上記実施例１の便座装置と略同じ構成部位には同符号を付けて、構造、作用及び効果の説明は省略する。
【００３６】
実施例２のトイレシステムは、検知部として、実施例１のドアロックセンサ２１及び着座センサ２２に加えて便器洗浄スイッチ２４を有している点で実施例１と相違する。すなわち、実施例２のトイレシステムは、ドアロックセンサ２１による施錠の有無、着座センサ２２による着座の有無の検知、及び便器洗浄スイッチ２４の操作の有無の検知によってトイレ個室１０内の状況を検知する。制御部３０は、これらの検知結果に基づいて、トイレ個室１０の使用状態を判定し、この判定結果を含む信号を出力する。なお、制御部３０から出力された信号は報知部４０に送信される。信号を受信した報知部４０は制御部３０による判定結果を報知する。
【００３７】
上記構成のトイレシステムの制御処理について、図４のフローチャートと、図５及び図６のタイミングチャートを用いて説明する。図４に示すように、実施例２のトイレシステムの制御処理では、ステップＳ２０１においてドア１１の施錠の有無を検知し、ドア１１を施錠した（ドアロックセンサ２１がオン）と判断された場合には、制御部３０によりトイレ個室１０が「使用中」であると判定し（ステップＳ２０２）、報知部４０により報知する（ステップＳ２０３）。すなわち、図５及び図６に示すように、ドアロックセンサ２１がオフからオンに切り替えられることにより、報知部４０の報知内容が、「空き」から「使用中」に切り替えられる。これらステップＳ２０１〜Ｓ２０３は実施例１のステップＳ１０１〜Ｓ１０３と同様である。しかし、実施例２のトイレシステムの制御処理では、制御部３０による使用終了直前の状態であることの判定は、着座センサ２２により脱座したことが検知され、且つ便器洗浄スイッチ２４を操作したことが検知された場合に行う点で実施例１の制御処理と相違する。
【００３８】
具体的には、ステップＳ２０４にて、トイレ個室１０の使用者が便器装置１２の便座に着座したか否かを判断し、着座した（着座センサ２２がオン）と判断された場合には、その後の脱座の有無の検知（ステップＳ２０５，Ｓ２１０）及び便器洗浄の有無の検知（ステップＳ２０６，Ｓ２０９）を行う。実施例２のトイレシステムは、実施例１と同様に、所定の複数の条件を満たした場合としての施錠及び施錠後の着座を検知した場合においてのみ、トイレ個室１０が使用終了直前の状態であるという判定を行う。トイレ個室１０が使用終了直前の状態であるという判定は、脱座の有無及び便器洗浄の有無の検知により行われる。
【００３９】
ステップＳ２０５では脱座の有無の検知を行う。ステップＳ２０５にて脱座した（着座センサ２２がオフ）と判断された場合には、今度は、ステップＳ２０６において、便器洗浄したか否かを判断、すなわち、便器洗浄スイッチ２４の操作の有無を検知する。すなわち、ステップＳ２０６における便器洗浄したか否かの判断は脱座後に行われる判断である。このようにして脱座（着座センサ２２がオフ）及び便器洗浄（便器洗浄スイッチ２４がオン）の両方がなされたと判断されたら、制御部３０は、トイレ個室１０が使用終了直前の状態であると判定する（ステップＳ２０７）。判定結果は報知部４０に出力される。そして、報知部４０は、制御部３０の判定結果として、「使用終了直前」を報知する（ステップＳ２０８）。すなわち、図５に示すように、着座センサ２２がオンからオフに先に切り替わり、その後、便器洗浄スイッチ２４が操作される場合には、便器洗浄スイッチ２４が操作された時に報知部４０の報知内容が、「使用中」から「使用終了直前」に切り替えられる。
【００４０】
一方、ステップＳ２０５において脱座していない（着座センサ２２がオン）と判断された場合には、ステップＳ２０９に進む。ステップＳ２０９では、ステップＳ２０６と同様に便器洗浄したか否かを判断するが、この時の使用者は着座した状態（脱座する前の状態）である。ステップＳ２０９にて便器洗浄した（便器洗浄スイッチ２４がオン）と判断された場合にはステップＳ２１０に進み、便器洗浄したと判断されなかった場合にはステップＳ２０５に戻る。ステップＳ２０９において便器洗浄したと判断された場合には、ステップＳ２１０にて脱座したか否かを判断する。脱座したと判断された場合にはステップＳ２０７に進む。このように、便器洗浄（便器洗浄スイッチ２４がオン）及び脱座（着座センサ２２がオフ）の両方がなされたと判断されたら、制御部３０は、トイレ個室１０が使用終了直前の状態であると判定する（ステップＳ２０７）。そして、報知部４０は、制御部３０の判定結果として、「使用終了直前」を報知する（ステップＳ２０８）。
【００４１】
すなわち、図６に示すように、着座センサ２２がオンの状態の間に便器洗浄スイッチ２４が操作される場合には、便器洗浄スイッチ２４が操作された後に着座センサ２２がオフに切り替わることにより、報知部４０の報知内容が、「使用中」から「使用終了直前」に切り替えられる。このとき、制御部３０は、検知部としての着座センサ２２のオンからオフへの検知結果の変化に基づいて、トイレ個室１０が使用中の状態から使用終了直前の状態に変化したと判定する。
【００４２】
このように、実施例２の制御処理では、着座及び便器洗浄の２つの動作の有無を検知する２つの検知部の検知結果に基づいた判断を行うので、トイレ個室１０の使用者が脱座した状態で便器洗浄を行う場合と、脱座していない状態で便器洗浄を行う場合の２パターンを想定した処理を行う。また、制御部３０は、検知部としての着座センサ２２のオンの状態からオフの状態への検知結果の変化、及び便器洗浄スイッチ２４のオフの状態からオンの状態への検知結果の変化に基づいて、トイレ個室１０が使用中の状態から使用終了直前の状態に変化したと判定する。
【００４３】
ステップＳ２１１以降の制御処理は実施例１のステップＳ１０８以降の処理と同様である。すなわち、ステップＳ２１１では、ドア１１の開錠の有無を判断し、開錠したと判断された場合には、トイレ個室１０が「空き」であると判定し（ステップＳ２１２）、その旨を報知する（ステップＳ２１３）。ドア１１が開錠していないと判断された場合には、再び着座の有無を判断し（ステップＳ２１４）、着座が再度確認された場合には、「使用中」であると判定するとともに（ステップＳ２１５）、「使用中」を再度報知する（ステップＳ２１６）。すなわち、図５及び図６に示すように、ドアロックセンサ２１がオンからオフに切り替わることにより、報知部４０の報知内容が、「使用終了直前」から「空き」に切り替えられる。
【００４４】
以上より、実施例２のトイレシステムは、トイレ個室１０内の状況を検知する検知部としてのドアロックセンサ２１、着座センサ２２及び便器洗浄スイッチ２４と、ドアロックセンサ２１、着座センサ２２及び便器洗浄スイッチ２４の検知結果に基づいて、トイレ個室１０が空きの状態、及び使用中の状態であることを判定するとともに、使用中の状態においてトイレ個室１０が使用終了直前の状態であることの判定を行い、これら判定した結果を含む信号を出力する制御部３０と、を備えている。
【００４５】
実施例２のトイレシステムは、トイレ個室１０内の状況を検知するにあたり、ドアロックセンサ２１による施錠の有無、着座センサ２２による着座の有無、及び便器洗浄スイッチ２４の操作の有無を検知して、空きの状態、使用中の状態の２種類の状態の他の状態として、使用終了直前の状態であることを判定し、この判定結果を含む信号を出力する。このように、実施例２のトイレシステムは、トイレ個室が間もなく空くか否かを外部に知らせることができる。
【００４６】
したがって、実施例２のトイレシステムもまた、より詳細なトイレの使用状態を知らせることができる。
【００４７】
また、制御部３０は、検知部としての着座センサ２２及び便器洗浄スイッチ２４の検知結果の変化に基づいて、トイレ個室１０が使用中の状態から使用終了直前の状態に変化したとの判定を行う。このため、トイレ個室が間もなく空くか否かという情報をより正確に外部に知らせることができる。
【００４８】
また、制御部３０は、トイレ個室１０が使用終了直前の状態であるという判定を行う場合には、所定の複数の条件としての施錠及び施錠後の着座を検知した場合においてのみ、トイレ個室１０が使用終了直前の状態であるという判定を行う。これにより、誤判定の防止を図ることができる。その結果、トイレ個室が間もなく空くか否かという情報をより正確に外部に知らせることができる。
【００４９】
また、制御部３０は、トイレ個室１０が使用終了直前の状態であると判定した後に、検知部としての着座センサ２２が、所定の状況としての着座を検知すると、使用中の状態に変化したと判定する。これにより、使用終了直前の状態であることを報知した後においてもトイレ個室内の状況を監視し、その状況に応じて報知内容を使用中に戻すことができる。このため、トイレ個室が間もなく空くか否かという情報をより正確に外部に知らせることができる。
【００５０】
また、制御部３０は、検知部としての着座センサ２２及び便器洗浄スイッチ２４の２つの検知部の検知結果に基づいて、使用中の状態においてトイレ個室１０が使用終了直前の状態であることを判定する。このため、実施例１のように１つの検知部の検知結果に基づいて判定する場合と比較して、より精緻且つ正確に、トイレ個室が間もなく空くか否かという情報を外部に知らせることができる。
【００５１】
＜実施例３＞
次に、実施例３に係るトイレシステムについて説明する。なお、実施例３において、上記各実施例のトイレシステムと略同じ構成部位には同符号を付けて、構造、作用及び効果の説明は省略する。
【００５２】
実施例３のトイレシステムは、検知部として、実施例１の着座センサ２２に替えて回転センサ２３を有している点で実施例１と相違する。すなわち、実施例３のトイレシステムは、ドアロックセンサ２１による施錠の有無、及び回転センサ２３によるロールペーパーの回転の有無の検知によってトイレ個室１０内の状況を検知する。制御部３０は、これらの検知結果に基づいて、トイレ個室１０の使用状態を判定し、この判定結果を含む信号を出力する。なお、制御部３０から出力された信号は報知部４０に送信される。信号を受信した報知部４０は制御部３０による判定結果を報知する。
【００５３】
上記構成のトイレシステムの制御処理について、図７のフローチャート及び図８のタイミングチャートを用いて説明する。図７に示すように、実施例３のトイレシステムの制御処理では、ステップＳ３０１においてドア１１の施錠の有無をドアロックセンサ２１により検知し、ドア１１を施錠した（ドアロックセンサ２１がオン）と判断された場合には、制御部３０によりトイレ個室１０が「使用中」であると判定し（ステップＳ３０２）、報知部４０により報知する（ステップＳ３０３）。すなわち、図８に示すように、ドアロックセンサ２１がオフからオンに切り替わることにより、報知部４０の報知内容が、「空き」から「使用中」に切り替えられる。これらステップＳ３０１〜Ｓ３０３は実施例１のステップＳ１０１〜Ｓ１０３と同様である。しかし、実施例３のトイレシステムの制御処理では、制御部３０による使用終了直前の状態であることの判定は、トイレ個室１０の使用者がロールペーパーを巻き取り中であるか否かの判断に基づいて行われる。具体的には、回転センサ２３によるロールペーパーの巻き取りにより生じる回転の有無を検知し、巻き取りを検知したらタイマーを起動させ、所定時間が経過した後に使用終了直前の状態であるとの判定を行う。
【００５４】
詳細には、ステップＳ３０４にて、トイレ個室１０の使用者がロールペーパーを巻き取り中であるか否かを判断し、巻き取り中である（回転センサ２３がオン）と判断された場合には、所定時間Ｔ１のタイマーをスタートさせる（ステップＳ３０５）。タイマーをスタートさせたら、ステップＳ３０６では、巻き取り停止中か否かを判断する。ステップＳ３０６にて巻き取り停止中である（回転センサ２３がオフ）と判断された場合にはステップＳ３０７に進み、タイマーによる秒読みの終了を待機する。このタイマーによる秒読みが継続している間は、ステップＳ３０６に戻り、ロールペーパーの巻き取りの有無の検知を継続して行う。
【００５５】
タイマーによる秒読みの間に、ステップＳ３０６にて巻き取り停止中でない（回転センサ２３がオン）と判断された場合には、ステップＳ３０５に戻り、タイマーをリセットして再度起動させる。これは、１回の排便においてロールペーパーの巻き取りが複数回行われることを想定したものである。このため、図８に示すように、タイマーによる秒読み中にロールペーパーの巻き取りが再度行われたことを検知した場合には、その前の巻き取りの検知によるタイマーの秒読みが無効となり、再び所定時間Ｔ１からタイマーがスタートする。
【００５６】
そして、ステップＳ３０７においてタイマーの秒読みが終了したと判断された場合には、制御部３０は、トイレ個室１０が使用終了直前の状態であると判定する（ステップＳ３０８）。判定結果は報知部４０に出力される。そして、報知部４０は、制御部３０の判定結果として、「使用終了直前」を報知する（ステップＳ３０９）。すなわち、図８に示すように、タイマーの秒読みが終了することにより、報知部４０の報知内容が、「使用中」から「使用終了直前」に切り替えられる。このように、制御部３０は、検知部としての回転センサ２３のオンの状態からオフの状態への検知結果の変化に基づいてタイマーを起動させ、このタイマーの秒読みが終了することにより、トイレ個室１０が使用中の状態から使用終了直前の状態に変化したと判定する。
【００５７】
そして、ステップＳ３１０では、ドア１１の開錠の有無を判断し、開錠したと判断された場合には、トイレ個室１０が「空き」であると判定し（ステップＳ３１１）、その旨を報知する（ステップＳ３１２）。すなわち、図８に示すように、ドアロックセンサ２１がオンからオフに切り替わることにより、報知部４０の報知内容が、「使用終了直前」から「空き」に切り替えられる。
【００５８】
以上より、実施例３のトイレシステムは、トイレ個室１０内の状況を検知する検知部としてのドアロックセンサ２１及び回転センサ２３と、ドアロックセンサ２１及び回転センサ２３の検知結果に基づいて、トイレ個室１０が空きの状態、及び使用中の状態であることを判定するとともに、使用中の状態においてトイレ個室１０が使用終了直前の状態であることの判定を行い、これら判定した結果を含む信号を出力する制御部３０と、を備えている。
【００５９】
実施例３のトイレシステムは、トイレ個室１０内の状況を検知するにあたり、ドアロックセンサ２１による施錠の有無及び回転センサ２３によるロールペーパーの巻き取りの有無を検知して、空きの状態、使用中の状態の２種類の状態の他の状態として、使用終了直前の状態であることを判定し、この判定結果を含む信号を出力する。このように、実施例３のトイレシステムは、トイレ個室が間もなく空くか否かを外部に知らせることができる。
【００６０】
したがって、実施例３のトイレシステムもまた、より詳細なトイレの使用状態を知らせることができる。
【００６１】
また、制御部３０は、検知部としての回転センサ２３の検知結果の変化に基づいてタイマーを起動させ、このタイマーが秒読み終了することによって、トイレ個室１０が使用中の状態から使用終了直前の状態に変化したとの判定を行う。このため、トイレ個室が間もなく空くか否かという情報をより正確に外部に知らせることができる。
【００６２】
＜実施例４＞
次に、実施例４に係るトイレシステムについて説明する。なお、実施例４において、上記各実施例の便座装置と略同じ構成部位には同符号を付けて、構造、作用及び効果の説明は省略する。
【００６３】
実施例４のトイレシステムは、検知部として、実施例３のドアロックセンサ２１及び回転センサ２３に加えて便器洗浄スイッチ２４を有している。すなわち、実施例４のトイレシステムは、ドアロックセンサ２１による施錠の有無、回転センサ２３によるロールペーパーの回転の有無、及び便器洗浄スイッチ２４の操作の有無の検知によってトイレ個室１０内の状況を検知する。具体的には、制御部３０は、これらの検知結果に基づいて、トイレ個室１０の使用状態を判定し、この判定結果を含む信号を出力する。なお、制御部３０から出力された信号は報知部４０に送信される。信号を受信した報知部４０は制御部３０による判定結果を報知する。
【００６４】
上記構成のトイレシステムの制御処理について、図９のフローチャート及び図１０のタイミングチャートを用いて説明する。図９に示すように、実施例４のトイレシステムの制御処理では、ステップＳ４０１においてドア１１の施錠の有無をドアロックセンサ２１により検知し、ドア１１を施錠した（ドアロックセンサ２１がオン）と判断された場合には、制御部３０によりトイレ個室１０が「使用中」であると判定し（ステップＳ４０２）、報知部４０により報知する（ステップＳ４０３）。すなわち、図１０に示すように、ドアロックセンサ２１がオフからオンに切り替わることにより、報知部４０の報知内容が、「空き」から「使用中」に切り替えられる。これらステップＳ４０１〜Ｓ４０３は実施例１のステップＳ１０１〜Ｓ１０３と同様である。
【００６５】
ステップＳ４０４では、トイレ個室１０の使用者がロールペーパーを巻き取り中であるか否かを判断し、巻き取り中である（回転センサ２３がオン）と判断された場合には、所定時間Ｔ１のタイマーをスタートさせる（ステップＳ４０５）。そして、タイマーをスタートさせたら、巻き取り停止中か否かを判断する（ステップＳ４０６）。ステップＳ４０６にて巻き取り停止中である（回転センサ２３がオフ）と判断された場合にはステップＳ４０７に進み、タイマーによる秒読みの終了を待機する。また、このタイマーによる秒読みが継続している間は、ステップＳ４０６に戻り、ロールペーパーの巻き取りの有無の検知を継続して行う。タイマーによる秒読みの間にステップＳ４０６にて巻き取り停止中でない（回転センサ２３がオン）と判断された場合には、ステップＳ４０５に戻り、タイマーをリセットして再度起動させる。これらステップＳ４０４〜Ｓ４０７もまた、実施例３のステップＳ３０４〜Ｓ３０７と同様である。
【００６６】
次に、ステップＳ４０８では、便器洗浄したか否かを判断、すなわち、便器洗浄スイッチ２４の操作の有無を検知する。便器洗浄したと判断された場合には、「使用終了直前」の判定を行い（ステップＳ４０９）、判定結果を報知部４０に出力する。そして、報知部４０は「使用終了直前」を報知する（ステップＳ４１０）。このように、実施例４のトイレシステムの制御処理では、制御部３０による使用終了直前の状態であることの判定は、便器洗浄スイッチ２４が操作されること、すなわち、便器洗浄スイッチ２４のオンが検知されることによって行われる。しかし、図１０に示すように、回転センサ２３によって起動するタイマーの秒読みが継続している間は、便器洗浄スイッチ２４のオンが検知されても使用終了直前の状態であることの判定を行わない。すなわち、実施例４のトイレシステムにおいて、制御部３０は、検知部としての便器洗浄スイッチ２４のオフからオンへの検知結果の変化に基づいて、トイレ個室１０が使用終了直前の状態であるという判定を行う。また、制御部３０は、所定の複数の条件を満たした場合としての巻き取り中であることの検知及び巻き取りが検知されることにより起動するタイマーの秒読みが終了した場合においてのみ、トイレ個室１０が使用終了直前の状態であるという判定を行う。
【００６７】
そして、ステップＳ４１１では、ドア１１の開錠の有無を判断し、開錠したと判断された場合には、トイレ個室１０が「空き」であると判定し（ステップＳ４１２）、その旨を報知する（ステップＳ４１３）。すなわち、図１０に示すように、ドアロックセンサ２１がオンからオフに切り替わることにより、報知部４０の報知内容が、「使用終了直前」から「空き」に切り替えられる。
【００６８】
以上より、実施例４のトイレシステムは、トイレ個室１０内の状況を検知する検知部としてのドアロックセンサ２１、回転センサ２３、及び便器洗浄スイッチ２４と、ドアロックセンサ２１、回転センサ２３及び便器洗浄スイッチ２４の検知結果に基づいて、トイレ個室１０が空きの状態、及び使用中の状態であることを判定するとともに、使用中の状態においてトイレ個室１０が使用終了直前の状態であることの判定を行い、これら判定した結果を含む信号を出力する制御部３０と、を備えている。
【００６９】
実施例４のトイレシステムは、トイレ個室１０内の状況を検知するにあたり、ドアロックセンサ２１による施錠の有無、回転センサ２３によるロールペーパーの巻き取りの有無、及び便器洗浄スイッチ２４の操作の有無を検知して、空きの状態、使用中の状態の２種類の状態の他の状態として、使用終了直前の状態であることを判定し、この判定結果を含む信号を出力する。このように、実施例４のトイレシステムは、トイレ個室が間もなく空くか否かを外部に知らせることができる。
【００７０】
したがって、実施例４のトイレシステムもまた、より詳細なトイレの使用状態を知らせることができる。
【００７１】
また、制御部３０は、検知部としての便器洗浄スイッチ２４のオフからオンへの検知結果の変化に基づいて、トイレ個室１０が使用終了直前の状態であるという判定を行う。このため、トイレ個室が間もなく空くか否かという情報をより正確に外部に知らせることができる。
【００７２】
また、制御部３０は、トイレ個室１０が使用終了直前の状態であるという判定を行う場合には、所定の複数の条件を満たした場合としての巻き取り中（巻き取り開始）の検知及び巻き取りが検知されることにより起動するタイマーの秒読みが終了した場合においてのみ、トイレ個室１０が使用終了直前の状態であるという判定を行う。これにより、誤判定の防止を図ることができる。その結果、トイレ個室が間もなく空くか否かという情報をより正確に外部に知らせることができる。
【００７３】
＜実施例５＞
次に、実施例５に係るトイレシステムについて説明する。なお、実施例５において、上記各実施例の便座装置と略同じ構成部位には同符号を付けて、構造、作用及び効果の説明は省略する。
【００７４】
実施例５のトイレシステムは、制御部３０が、検知部の検知結果に基づいて、使用中のトイレ個室１０が使用開始直後の状態であることを判定する点において実施例１〜４と異なる。実施例５のトイレシステムは、検知部としてドアロックセンサ２１を有している。実施例５のトイレシステムにおいて、制御部３０は、検知部の検知結果に基づいて、トイレ個室１０の使用状態を判定し、この判定結果を出力する。なお、制御部３０から出力された信号は報知部４０に送信される。信号を受信した報知部４０は制御部３０による判定結果を報知する。
【００７５】
上記構成のトイレシステムの制御処理について、図１１のフローチャート及び図１２のタイミングチャートを用いて説明する。図１１に示すように、実施例５のトイレシステムの制御処理では、ステップＳ５０１においてドア１１の施錠の有無をドアロックセンサ２１により検知する。そして、ステップＳ５０２においてドア１１を施錠した（ドアロックセンサ２１がオン）と判断された場合には、制御部３０は、トイレ個室１０が使用開始直後の状態であると判定する（ステップＳ５０２）。すなわち、ドアロックセンサ２１のオンが検知されることにより、制御部３０は、トイレ個室１０が使用中の状態における使用開始直後の状態であると判定する。判定結果は報知部４０に出力される。そして、報知部４０は制御部３０による判定結果を報知する（ステップＳ５０３）。図１２に示すように、ドアロックセンサ２１がオフからオンに切り替わることにより、報知部４０の報知内容が、「空き」から「使用開始直後」に切り替えられる。
【００７６】
ステップＳ５０４では、所定時間Ｔ２のタイマーをスタートさせる。そして、ステップＳ５０５において、タイマーによる秒読みの終了を待機する。タイマーによる秒読みが完了したら、制御部３０は、トイレ個室１０が使用開始直後の状態から使用中の状態に変化したと判定し（ステップＳ５０６）、「使用中」を報知する（ステップＳ５０７）。すなわち、制御部３０は、トイレ個室１０が使用開始直後であるという判定を行ってから所定時間Ｔ２が経過した場合に、トイレ個室１０が使用中の状態であると判定する。
【００７７】
ステップＳ５０８〜Ｓ５１０の処理は、実施例３のステップＳ３１０〜Ｓ３１２と同様である。すなわち、ステップＳ５０８では、ドア１１の開錠の有無を判断し、開錠したと判断された場合には、トイレ個室１０が「空き」であると判定する（ステップＳ５０９）。報知部４０は「空き」を報知する（ステップＳ５１０）。すなわち、図１２に示すように、ドアロックセンサ２１がオンからオフに切り替わることにより、報知部４０の報知内容が、「使用中」から「空き」に切り替えられる。
【００７８】
以上より、実施例５のトイレシステムは、トイレ個室１０内の状況を検知する検知部としてのドアロックセンサ２１と、このドアロックセンサ２１の検知結果に基づいて、トイレ個室１０が空きの状態、使用中の状態の２種類の状態の他の状態として、使用開始直後の状態であることの判定を行い、これら判定した結果を含む信号を出力する制御部３０と、を備えている。
【００７９】
実施例５のトイレシステムは、トイレ個室１０内の状況を検知するにあたり、ドアロックセンサ２１による施錠の有無を検知して、空きの状態、使用中の状態の２種類の状態の他の状態として、使用開始直後の状態であることを判定し、この判定結果を含む信号を出力する。このように、実施例５のトイレシステムは、トイレ個室が使用開始されてから間もないことを知らせることができるので、トイレ個室が間もなく空くか否かを外部に知らせることができる。
【００８０】
したがって、実施例５のトイレシステムもまた、より詳細なトイレの使用状態を知らせることができる。
【００８１】
また、実施例５のトイレシステムは、検知部として、ドア１１の施錠の有無を検知するドアロックセンサ２１のみを有しているので、簡易な構成とすることができる。
【００８２】
＜実施例６＞
次に、実施例６に係るトイレシステムについて説明する。なお、実施例６において、上記各実施例の便座装置と略同じ構成部位には同符号を付けて、構造、作用及び効果の説明は省略する。
【００８３】
実施例６のトイレシステムは、実施例５と同様に、制御部３０は、検知部の検知結果に基づいて、使用中のトイレ個室１０が使用開始直後の状態であることを判定するが、検知部として、ドアロックセンサ２１に加えて着座センサ２２を有している点において実施例５と異なる。実施例６のトイレシステムは、ドアロックセンサ２１による施錠の有無の検知と、着座センサ２２による着座の有無の検知によってトイレ個室１０内の状況を検知する。制御部３０は、これら検知部の検知結果に基づいてトイレ個室１０の使用状態を判定し、この判定結果を出力する。
【００８４】
上記構成のトイレシステムの制御処理について、図１３のフローチャート及び図１４のタイミングチャートを用いて説明する。図１３に示すように、実施例６のトイレシステムの制御処理では、ステップＳ６０１においてドア１１の施錠を検知し、ドア１１を施錠した（ドアロックセンサ２１がオン）と判断された場合には、制御部３０によりトイレ個室１０が「使用開始直後」であると判定し（ステップＳ６０２）、その判定結果を報知部４０に出力し、報知部４０により報知する（ステップＳ６０３）。すなわち、図１４に示すように、ドアロックセンサ２１がオフからオンに切り替わることにより、報知部４０の報知内容が、「空き」から「使用開始直後」に切り替えられる。
【００８５】
ステップＳ６０４では、トイレ個室１０の使用者が便器装置１２の便座に着座したか否かを判断する。着座した（着座センサ２２がオン）と判断された場合には、制御部３０は、トイレ個室１０が「使用中」であると判定し（ステップＳ６０５）、報知部４０は、トイレ個室１０が「使用中」であることを報知する（ステップＳ６０６）。すなわち、図１４に示すように、着座センサ２２がオフからオンに切り替わることにより、報知部４０の報知内容が、「使用開始直後」から「使用中」に切り替えられる。このように、実施例６のトイレシステムでは、ドア１１の施錠を検知することによりトイレ個室１０が使用開始直後の状態であると判定し、使用者の着座を検知することにより使用中の状態に変化したと判定する。
【００８６】
ステップＳ６０７〜Ｓ６０９の処理は、実施例５のステップＳ５０８〜Ｓ５１０と同様である。すなわち、ステップＳ６０７では、ドア１１の開錠の有無を判断し、開錠したと判断された場合には、トイレ個室１０が「空き」であると判定する（ステップＳ６０８）。報知部４０は「空き」を報知する（ステップＳ６０９）。すなわち、図１４に示すように、ドアロックセンサ２１がオンからオフに切り替わることにより、報知部４０の報知内容が、「使用中」から「空き」に切り替えられる。
【００８７】
以上より、実施例６のトイレシステムは、トイレ個室１０内の状況を検知する検知部としてのドアロックセンサ２１及び着座センサ２２と、これらドアロックセンサ２１及び着座センサ２２の検知結果に基づいて、トイレ個室１０が空きの状態、使用中の状態の２種類の状態の他の状態として、使用開始直後の状態であることの判定を行い、この判定結果を含む信号を出力する制御部３０とを備えている。
【００８８】
実施例６のトイレシステムは、トイレ個室１０内の状況を検知するにあたり、ドアロックセンサ２１による施錠の有無及び着座センサ２２による着座の有無を検知して、空きの状態、使用中の状態の２種類の状態の他の状態として、使用開始直後の状態であることを判定し、この判定結果を含む信号を出力する。このように、このように、実施例６のトイレシステムは、トイレ個室が使用開始されてから間もないことを知らせることができるので、トイレ個室が間もなく空くか否かを外部に知らせることができる。
【００８９】
したがって、実施例６のトイレシステムもまた、より詳細なトイレの使用状態を知らせることができる。
【００９０】
＜実施例７＞
次に、実施例７に係るトイレシステムについて説明する。なお、実施例７において、上記各実施例の便座装置と略同じ構成部位には同符号を付けて、構造、作用及び効果の説明は省略する。
【００９１】
実施例７のトイレシステムは、検知部として、実施例６と同様に、ドアロックセンサ２１及び着座センサ２２を有している。実施例７のトイレシステムは、ドアロックセンサ２１による施錠の有無の検知と、着座センサ２２による着座の有無の検知によってトイレ個室１０内の状況を検知する。制御部３０は、検知部の検知結果に基づいて、トイレ個室１０の使用状態を判定するが、この判定を行う際の処理の点で実施例６と異なる。具体的には、実施例７のトイレシステムにおいて、使用開始直後の状態が使用中の状態に変化したとの判定は、施錠を検知することにより起動するタイマーの秒読みの終了又は着座の検知のどちらか早いほうによりなされる。
【００９２】
上記構成のトイレシステムの制御処理について、図１５のフローチャートと、図１６及び図１７のタイミングチャートを用いて説明する。図１５に示すように、実施例７のトイレシステムの制御処理では、ステップＳ７０１においてドア１１の施錠を検知し、ドア１１を施錠した（ドアロックセンサ２１がオン）と判断された場合には、制御部３０によりトイレ個室１０が「使用開始直後」であると判定し（ステップＳ７０２）、判定結果を報知部４０に出力し、報知部４０により報知する（ステップＳ７０３）。すなわち、図１６及び図１７に示すように、ドアロックセンサ２１がオフからオンに切り替わることにより、報知部４０の報知内容が、「空き」から「使用開始直後」に切り替えられる。
【００９３】
ステップＳ７０４では、所定時間Ｔ２のタイマーをスタートさせる。そして、ステップＳ７０５にてタイマーによる秒読みが終了したか否かを判断する。終了したと判断されない場合には、ステップＳ７０６に進み、着座センサ２２による着座の有無の検知を行う。ステップＳ７０５にてタイマーの秒読みが終了したと判断された場合、又はステップＳ７０６にて着座した（着座センサ２２がオン）と判断された場合には、ステップＳ７０７において、制御部３０により使用中の状態であると判定し、ステップＳ７０８において報知部４０がこれを報知する。すなわち、図１６に示すように、タイマーの秒読みが終了する前に着座センサ２２がオフからオンに切り替わる、又は図１７に示すように、着座センサ２２がオフからオンに切り替わる前にタイマーの秒読みが終了することにより、報知部４０の報知内容が「使用開始直後」から「使用中」に切り替えられる。
【００９４】
ステップＳ７０９〜Ｓ７１１の処理は、実施例５のステップＳ５０８〜Ｓ５１０と同様である。すなわち、ステップＳ７０９では、ドア１１の開錠の有無を判断し、開錠したと判断された場合には、トイレ個室１０が「空き」であると判定する（ステップＳ７１０）。報知部４０は「空き」を報知する（ステップＳ７１１）。すなわち、図１６及び図１７に示すように、ドアロックセンサ２１がオンからオフに切り替わることにより、報知部４０の報知内容が、「使用中」から「空き」に切り替えられる。
【００９５】
以上より、実施例７のトイレシステムは、トイレ個室１０内の状況を検知する検知部としてのドアロックセンサ２１及び着座センサ２２と、これらドアロックセンサ２１及び着座センサ２２の検知結果に基づいて、トイレ個室１０が空きの状態、使用中の状態の２種類の状態の他の状態として、使用開始直後の状態であることの判定を行い、これら判定した結果を含む信号を出力する制御部３０と、を備えている。
【００９６】
実施例７のトイレシステムは、トイレ個室１０内の状況を検知するにあたり、ドアロックセンサ２１による施錠の有無及び着座センサ２２による着座の有無を検知して、空きの状態、使用中の状態の２種類の状態の他の状態として、使用開始直後の状態であることを判定し、この判定結果を含む信号を出力する。このように、このように、実施例５のトイレシステムは、トイレ個室が使用開始されてから間もないことを知らせることができるので、トイレ個室が間もなく空くか否かを外部に知らせることができる。
【００９７】
したがって、実施例７のトイレシステムもまた、より詳細なトイレの使用状態を知らせることができる。
【００９８】
本発明は上記記述及び図面によって説明した実施例に限定されるものではなく、例えば次のような実施形態も本発明の技術的範囲に含まれる。
（１）実施例１〜７では、３つのトイレ個室が設けられたトイレ設備を例示したが、トイレ個室の数は特に限定されない。
（２）実施例１〜７では、複数のトイレ個室の使用の状態を報知する１つの報知部を備える形態を例示したが、複数のトイレ個室の個々に対応する複数の報知部を備える形態であってもよい。
（３）実施例１〜７では、報知部の報知形態として、表示器により文字や図形等を表示する形態を例示したが、単に色を表示するなどの簡易な表示を行う形態であってもよい。また、報知形態としては、トイレ個室毎の使用状態に関する情報を報知する形態に限定されず、例えば、トイレ設備全体で、「空き」や「使用中」等のトイレ個室の数を報知する等、他の報知形態であってもよい。
（４）実施例１〜７では、報知部としてトイレ設備の外壁に設けられた表示器を例示したが、共用スペース内に設けられていてもよい。また、報知部は、トイレ設備から離隔した場所に設けられたディスプレイやスマートフォン等の携帯端末等により、トイレ設備の遠隔で表示する形態であってもよい。
（５）実施例１〜７では、報知部として表示器を例示したが、音声等により報知する形態の報知部であってもよい。
（６）実施例１〜７では、検知部として、ドアロックセンサ、着座センサ、回転センサ、便器洗浄スイッチ等を有する形態を例示したが、検知部はこれらに限定されるものではなく、例えば、便座（幼児用補助便座）や便蓋の開閉、おむつ交換台の使用の有無、幼児用チェアの着座の有無、局部洗浄、排便による便鉢内の水位変化、便器洗浄や局部洗浄をしたことによる給水管内の水流の変化、着衣や脱衣、入退室等の他の動作を検知するものであってもよい。また、検知部による検知方法や検知手段も特に限定されない。
（７）実施例１〜７では、トイレ個室の使用状態として、空きの状態及び使用中の状態の他に、使用終了直前の状態又は使用開始直後の状態のどちらか一方について判定する形態を例示したが、これに限定されず、例えば、上述の実施例１〜４のいずれかと実施例５〜７のいずれかを組み合わせた形態等、使用開始終了直前の状態及び使用開始直後の状態の両方について判定する形態であってもよい。また、使用終了直前の状態及び使用開始直後の状態以外の状態、又はこれらに加えて他の状態について判定する形態としてもよい。
（８）実施例３及び４では、回転センサによるロールペーパーの巻き取りにより生じる回転の有無を検知してタイマーを起動させ、このタイマーの秒読みが終了したときに使用終了直前の状態であるとの判定を行う形態を例示したが、回転センサによる回転の有無の検知のみによって、使用終了直前の状態であるとの判定を行ってもよい。
【符号の説明】
【００９９】
１…トイレ設備
２…トイレ設備のドア
３…共用スペース
４…洗面台
１０…トイレ個室
１１…トイレ個室のドア
１２…便器装置
１３…ペーパーホルダー
１４…リモコン
２１…ドアロックセンサ
２２…着座センサ
２３…回転センサ
２４…便器洗浄スイッチ
３０…制御部
４０…報知部
【図１】
2018161342.tif 000003
【図２】
2018161342.tif 000004
【図３】
2018161342.tif 000005
【図４】
2018161342.tif 000006
【図５】
2018161342.tif 000007
【図６】
2018161342.tif 000008
【図７】
2018161342.tif 000009
【図８】
2018161342.tif 000010
【図９】
2018161342.tif 000011
【図１０】
2018161342.tif 000012
【図１１】
2018161342.tif 000013
【図１２】
2018161342.tif 000014
【図１３】
2018161342.tif 000015
【図１４】
2018161342.tif 000016
【図１５】
2018161342.tif 000017
【図１６】
2018161342.tif 000018
【図１７】
2018161342.tif 000019